(57)【特許請求の範囲】
【請求項１】
天板を載置するとともに、左右方向に沿って複数併設される脚体のうち互いに隣り合う前記脚体同士を、左右方向を向く連結杆をもって連結した連結机において、
前記脚体の上面に、上方が開口する上面係止溝を前後長手方向に沿って設け、前記脚体における前記１対の脚杆同士が互いに対向する方の側面に、側方が開口する側面係止溝を前後方向に沿って設け、前記連結杆の端部に、前記上面係止溝に上方から嵌合可能で、かつ前記前後方向へ摺動可能に嵌合する下向き係合爪を設け、さらに、前記脚体における前記側面係止溝に、前記側面係止溝の開口から抜け出し不能で、かつ前記前後方向へ摺動可能なナットを嵌合し、
前記下向き係合爪を、前記上面係止溝に嵌合するとともに、前記連結杆の端部近傍を貫通するボルトを前記ナットに螺合することによって、前記連結杆の端部を前記脚体に連結したことを特徴とする連結机。
【請求項２】
横杆の側面に、上下２本の側面係止溝を並設するとともに、各側面係止溝に、前記連結杆の鍔部を貫通するボルトに螺合するナットをそれぞれ摺動可能に嵌合した請求項１記載の連結机。
【請求項３】
隣り合う脚体同士を、前後方向に併設される２本の連結杆を介して連結した請求項１または２記載の連結机。
【発明の詳細な説明】
【０００１】
【発明の属する技術分野】
本発明は、事務所や会議室等で使用される連結机に関する。
【０００２】
【従来の技術】
従来の連結机においては、天板を載置するための複数の脚体を左右方向に併設するとともに、左右方向に隣接する脚体同士を、複数の天板と幕板とにより連結することによって形成されている（例えば、特許文献１参照）。
【０００３】
【特許文献１】
特開平８−１８７１２８号公報
【０００４】
【発明が解決しようとする課題】
しかし、上述の特許文献１のような、従来の連結机においては、各脚体同士を連結する天板及び幕板が、連結机を形作る強度部材として大きな役割を果たしているため、多数のボルトをもって、天板及び幕板を脚体に締結する必要がある。このために、天板及び幕板に多数の取付用の加工を施す必要がある等して、外観の体裁が悪くなるとともに、コストの上昇を招くこととなる。
【０００５】
本発明は、従来の技術が有する上記のような問題点に鑑み、取り付けの加工工数、及びコストの上昇を抑え、かつ外観の体裁を良くすることができるようにした連結机を提供することを目的としている。
【０００６】
【課題を解決するための手段】
本発明によると、上記課題は、次のようにして解決される。
（１）天板を載置するとともに、左右方向に沿って複数併設される脚体のうち互いに隣り合う前記脚体同士を、左右方向を向く連結杆をもって連結した連結机において、前記脚体の上面に、上方が開口する上面係止溝を前後長手方向に沿って設け、前記脚体における前記１対の脚杆同士が互いに対向する方の側面に、側方が開口する側面係止溝を前後方向に沿って設け、前記連結杆の端部に、前記上面係止溝に上方から嵌合可能で、かつ前記前後方向へ摺動可能に嵌合する下向き係合爪を設け、さらに、前記脚体における前記側面係止溝に、前記側面係止溝の開口から抜け出し不能で、かつ前記前後方向へ摺動可能なナットを嵌合し、前記下向き係合爪を、前記上面係止溝に嵌合するとともに、前記連結杆の端部近傍を貫通するボルトを前記ナットに螺合することによって、前記連結杆の端部を前記脚体に連結する。
【０００７】
（２）上記(１)項において、横杆の側面に、上下２本の側面係止溝を並設するとともに、各側面係止溝に、前記連結杆の鍔部を貫通するボルトに螺合するナットをそれぞれ摺動可能に嵌合する。
【０００８】
（３）上記(１)または(２)項のいずれかにおいて、隣り合う脚体同士を、前後方向に併設される２本の連結杆を介して連結する。
【０００９】
【発明の実施の形態】
以下、本発明の一実施形態を、図面に基づいて説明する。
図１は、本発明に係わる一実施形態を適用した連結机(１)の斜視図、図２は、連結机(１)の正面図、図３は、連結机(１)の側面図、図４は、天板(２)を想像線で示した状態の連結机(１)の平面図、図５は、要部の分解斜視図、図６は、組み立て後における要部の斜視図、図７は、図３におけるＶII−ＶII線に沿う縦断面図、図８は、図３におけるVIII−VIII線に沿う縦断面図、図９は、図３におけるIＸ−IＸ線に沿う縦断面図、図１０は、図３におけるＸ−Ｘ線に沿う横断面図である。
なお、以下の説明では、図２及び図４の左右方向を連結机(１)の「左右方向」、図３の左右方向、及び図４の上下方向を「前後方向」とする。
【００１０】
連結机(１)は、複数の天板(２)と、各天板(２)を載置するための左右方向に複数併設された脚体(３)と、左右方向に隣り合う脚体(３)同士を連結する複数の連結杆(４)とから形成され、必要に応じて、オプション部品である、前後に隣り合う天板(２)と(２)の間に設けられるディスクトップパネル(５)、幕板(21)、及び配線受け部材(23)、さらには連結机(１)の左右両端に設けられるディスクサイドパネル(22)がそれぞれ設けられる。
【００１１】
本実施形態においては、左右方向に４セット併設された脚体(３)に、６枚の天板(２)を載置したものを説明するが、これらの数は、使用形態に応じて適宜変更される。
【００１２】
脚体(３)は、主に図５及び図１０に示すように、断面形状が方形をなし、かつ各側面に上下方向に沿って係止溝(７)が設けられた前後１対の上下方向の脚杆(６)と、主に図５、及び図７〜図９に示すように、断面が矩形をなし、かつ前後の脚杆(６)の上端部同士を連結する前後方向を向く横杆(８)とから形成され、図３に示すように、側面視ほぼ門型をなしている。
【００１３】
図３及び図４に示すように、連結机(１)の左右両端に配置される脚体(３)(３)の間に配置される中央の脚体(３)における前後方向の長さ(ａ)は、両端に配置される脚体(３)の前後方向の長さ(ｂ)より短く形成されている。これにより、中央の脚体(３)における前後の脚杆(６)が、天板(２)の中央寄りに配置されるため、連結机(１)を使用する場合、使用者の足下を邪魔することがなく、天板(２)を有効に広く使用することができる。
【００１４】
横杆(８)は、脚杆(６)の上端部を前後方向に貫通する複数のねじ(９)をもって、横杆(８)の端面が脚杆(６)の上端部側面に締結されることにより、前後の脚杆(６)の上端部同士を連結する。
【００１５】
横杆(８)の上面には、長手方向（前後方向）に沿って２本の上面係止溝(10)が設けられ、また同じく外側及び内側の側面には、長手方向に沿って側面係止溝(11)(12)がそれぞれ２本ずつ設けられている。
【００１６】
横杆(８)の上面係止溝(10)における上方を向く開口には、図７〜図９に示すように、開口の幅を狭めるように突出する係止片(13)が設けられている。各側面係止溝(11)(12)の側方を向く開口の上下には、開口の幅を狭めるように互いに突出する係止片(14)(14)が設けられている。
【００１７】
横杆(８)における内側の側面（左右方向に隣り合う脚体(３)同士が互いに対向する方の側面）に設けられた上下の側面係止溝(11)(11)には、横杆(８)の端面から複数のナット(16)がそれぞれ摺動可能に嵌合されている。このナット(16)は、主に図８に示すように、係止片(14)(14)に係合して、側面係止溝(11)の開口から外側に抜け出すことがないように、各側面係止溝(11)に嵌合している。
【００１８】
連結杆(４)における左右の端部のそれぞれの上部には、主に図７に示すように、横杆(８)の上方から上面係止溝(10)に摺動可能に嵌合される下向き係合爪(15)が設けられている。
【００１９】
連結杆(４)は、下向き係合爪(15)を横杆(８)の上面係止溝(10)に上方から嵌合させた状態で、連結杆(４)の端部に設けられた前後の鍔部(4a)を貫通する左右方向を向く複数のボルト(17)を、側面係止溝(11)に嵌合されたナット(16)に螺合して、連結杆(４)の端面を横杆(８)の側面に締結することにより、側面係止溝(11)を利用して、左右に隣り合う脚杆(３)の横杆(８)同士を、簡単かつ強固に連結することができる。
【００２０】
ナット(16)は、正面視がほぼ菱形をなしており、上下方向の寸法が、側面係止溝(11)における両係止片(14)(14)間の開口幅より大であり、かつ左右方向の寸法が開口幅より小となっている。これにより、ナット(16)を、その左右方向が上下に向くような状態で側面係止溝(11)にその側方から嵌合した後、ナット(16)を回転させることによって、ナット(16)が側面係止溝(11)の開口から抜け出し不能に嵌合される。
【００２１】
また、連結杆(４)を横杆(８)に連結する際、連結杆(４)の下向き係合爪(15)を、脚体(３)における横杆(８)の上面係止溝(10)に係合させた仮止め状態で、連結杆(４)の連結作業を行うことができるので、組み立てを容易かつ確実に行うことができる。
【００２２】
横杆(８)の側面係止溝(11)には、連結杆(４)の他にも、オプション部品であるディスクトップパネル(５)を支持するための取付金具(26)や、幕板(21)の図示略の取付金具が摺動可能に取り付け可能となっている。
【００２３】
例えば、ディスクトップパネル(５)においては、図５、６及び図８に示すように、連結杆(４)を横杆(８)に連結する場合と同じような要領で、側面係止溝(11)に摺動可能に嵌合されたナット(16)と、ナット(16)に螺合するボルト(17)とにより、横杆(８)の側面に締結された取付金具(26)の支持孔(26a)に、ディスクトップパネル(５)の支持杆(5a)を挿入することにより、ディスクトップパネル(５)を前後に隣り合う天板(２)の隙間に取り付けることができる。
【００２４】
ディスクサイドパネル(22)は、ディスクトップパネル(５)と同じ要領で、横杆(８)の外側の側面に設けられた側面係止溝(12)を利用して、横杆(８)の側面に締結される図示略の取付金具をもって、連結机(１)における両端に設けられる。
【００２５】
なお、本発明における実施形態においては、側面係止溝(11)に嵌合されるナット(16)と、ナット(16)に螺合するボルト(17)とによって、連結杆(４)を横杆(８)に連結する締結手段が形成されるが、本発明は、これだけに限定されるものではない。例えば、ナット(16)を使用することなく、横杆(８)の側面に多数のねじ孔を設け、このねじ孔にボルト(17)を螺合して、連結杆(４)の端面を横杆(８)の側面に締結するようにしてもよい。
【００２６】
天板(２)は、下向きのボルト(18)により各脚杆(６)の上端に固定された支持金具(19)(20)を介して、各脚杆(６)の上端に固定される。なお、図４に示すように、左右方向を向く支持金具(19)は、左右の両端に配置される脚体(３)における脚杆(６)に設けられ、また、前後方向を向く支持金具(20)は、中央の脚体(３)における脚杆(６)に設けられるものである。
【００２７】
天板(２)は、前後に隣り合う互いの端面の間に、隙間が設けられるように載置される。この隙間の下方には、天板(２)上で使用するコンピュータ等のコードを体裁良く配線することができるように、配線受け部材(23)が設けられる。配線受け部材(23)は、左右に隣り合う脚体(３)同士を連結する前後２本の連結杆(４)(４)の間に架設されて、前記隙間に沿うように設けられる。これにより、連結杆(４)等に配線受け部材(23)を取り付けるための特別な加工を施すことなく、配線受け部材(23)を簡単に設置することができるとともに、前記隙間を利用して、コンピュータ等のコードを、配線受け部材(23)に簡単に配線することができる。
【００２８】
連結杆(４)の上端部上面に設けられた凸部(24)は、図７に示すように、天板(２)を脚体(３)に載置する際、天板(２)に設けられた孔部(2a)に嵌合することによって、天板(２)の位置決めを行うものである。また、連結杆(４)の端部寄りの上面に取り付けられた円柱状の支持部(25)は、天板(２)の下面を支持するものである。
【００２９】
上述のように、脚体(３)を、上下方向を向く１対の脚杆(６)と各脚杆(６)同士を連結する横杆(８)とから形成するとともに、左右に隣り合う脚体(３)の横杆(８)同士を、連結杆(４)により連結したことによって、脚体(３)と連結杆(４)とが強度部材としての大きな役割を果たすことができ、天板(２)に多くの取付用の加工を施す必要がなくなり、外観の体裁を良くすることができるとともに、加工工数及びコストの上昇を抑えることができる。
【００３０】
本発明は、上記実施形態に特定されるものでなく種々変更が可能である。
例えば、脚体(３)における脚杆(６)と横杆(８)とを連続して一体的に形成したり、または、脚体(３)全体を平板をもって形成するとともに、平板の上端及び前後端を側方に折り曲げて、折り曲げた部分に上面係止溝(10)及び側面係止溝(11)を設けるようにしても良い。
【００３１】
【発明の効果】
本発明によれば、次のような効果を奏することができる。
（ａ）請求項１、２記載の発明によると、脚体、及び左右に隣り合う脚体同士を連結する連結杆が強度部材としての役割を果たすため、天板に多くの加工を施す必要がなくなり、外観の体裁を良くすることができるとともに、加工工数及びコストの上昇を抑えることができる。
連結杆の下向き係合爪を、脚体の上面係止溝に係合させた仮止め状態で、連結杆の端部を脚体に連結することができるので、組み立てを容易かつ確実に行うことができる。さらには、組み立てられた状態であっても、下向き係合爪が上面係止溝に係合した状態で連結杆が脚体に固定されるので、強度の向上を図ることができる。
また、連結杆の下向き係合爪が、脚体の上面係止溝に摺動可能に嵌合されるとともに、ナットが側面係止溝に摺動可能に嵌合されるため、連結杆を容易に組付け位置にセットして固定することができる。
【００３２】
（ｂ）請求項３記載の発明によると、互いに隣り合う脚体同士を強固に連結することができ、強度の向上を図ることができる。
【００３３】
【図面の簡単な説明】
【図１】  本発明に係わる一実施形態を適用した連結机の斜視図である。
【図２】  同じく、連結机の正面図である。
【図３】  同じく、連結机の側面図である。
【図４】  同じく、天板を想像線で示した状態の連結机の平面図である。
【図５】  同じく、要部の分解斜視図である。
【図６】  同じく、組み立て後における要部の斜視図である。
【図７】  図３におけるＶII−ＶII線に沿う縦断面図である。
【図８】  図３におけるＶIII−ＶIII線に沿う縦断面図である。
【図９】  図３におけるIＸ−IＸ線に沿う縦断面図である。
【図１０】  図３におけるＸ−Ｘ線に沿う横断面図である。
【符号の説明】
(１)連結机
(２)天板
(３)脚体
(４)連結杆
(4a)鍔部
(５)ディスクトップパネル
(5a)支持杆
(６)脚杆
(７)係止溝
(８)横杆
(９)ねじ
(10)上面係止溝
(11)(12)側面係止溝
(13)係止片
(14)係止片
(15)下向き係合爪
(16)ナット
(17)(18)ボルト
(19)(20)支持金具
(21)幕板
(22)ディスクサイドパネル
(23)配線受け部材
【図１】
0004133239.tif 000002
【図２】
0004133239.tif 000003
【図３】
0004133239.tif 000004
【図４】
0004133239.tif 000005
【図５】
0004133239.tif 000006
【図６】
0004133239.tif 000007
【図７】
0004133239.tif 000008
【図８】
0004133239.tif 000009
【図９】
0004133239.tif 000010
【図１０】
0004133239.tif 000011